(57)【要約】【課題】近接露光による被加工体へのパターン形成を行う際に、フォトマスクと被加工体との間の間隔を狭めた場合であっても、生産性を損なうことなく、フォトマスクが被加工体に接触または衝突することを確実に防止し、フォトマスクの転写パターンを保護することを目的とする。【解決手段】転写パターンを有するフォトマスクと、パターン形成面を有する被加工体とを、転写パターン及びパターン形成面が対向するように近接配置し、フォトマスクを用いて近接露光を行い、フォトリソグラフィー法によりパターン形成面にパターンを形成するパターン形成工程を含む被加工体の製造方法であって、フォトマスクの転写パターンを含む領域に突起部が凸設され、該突起部の露光光の光軸方向の全長が、対向する該突起部の設置面及びパターン形成面の間隔よりも短く、パターン形成工程の際、突起部の先端とパターン形成面との間に間隙が介在する被加工体の製造方法、及び該フォトマスクを提供する。【選択図】図２
2014174269.tif 000002
【特許請求の範囲】
【請求項１】
転写パターンを有するフォトマスクと、パターン形成面を有する被加工体とを、前記転写パターン及び前記パターン形成面が対向するように近接配置し、前記フォトマスクを用いて近接露光を行い、フォトリソグラフィー法により前記パターン形成面にパターンを形成するパターン形成工程を含む被加工体の製造方法であって、
前記フォトマスクの前記転写パターンを含む領域に突起部が凸設され、該突起部の露光光の光軸方向の全長が、対向する該突起部の設置面及び前記パターン形成面の間隔よりも短く、前記パターン形成工程の際、前記突起部の先端と前記パターン形成面との間に間隙が介在することを特徴とする被加工体の製造方法。
【請求項２】
前記被加工体の前記パターン形成面に感光性樹脂層が設けられていることを特徴とする請求項１に記載の被加工体の製造方法。
【請求項３】
前記感光性樹脂層は、黒色感光性樹脂層を含み、前記パターン形成工程後にブラックマトリクスを構成することを特徴とする請求項２に記載の被加工体の製造方法。
【請求項４】
前記感光性樹脂層は、前記ブラックマトリクスの隙間を埋めるように設けられた着色顔料を含む有色感光性樹脂層を含み、前記パターン形成工程後にカラーフィルタを構成することを特徴とする請求項３に記載の被加工体の製造方法。
【請求項５】
前記感光性樹脂層は、前記ブラックマトリクス上に設けられた透明な感光性樹脂層を含み、前記パターン形成工程後に、表示装置のセルギャップを決定するスペーサを構成することを特徴とする請求項４に記載の被加工体の製造方法。
【請求項６】
近接露光時における対向する前記転写パターン及び前記パターン形成面の間の距離のうち最も短い距離であるプロキシミティギャップが、５０μｍ〜２００μｍの範囲である場合において、前記突起部の全長が１０μｍ〜３０μｍの範囲であることを特徴とする請求項１乃至５に記載の被加工体の製造方法。
【請求項７】
被加工体のパターン形成面に対向する転写パターンを有する近接露光用のフォトマスクであって、
前記転写パターンを含む領域に突起部が凸設され、該突起部の露光光の光軸方向の全長が、近接露光時に対向する該突起部の設置面及び前記パターン形成面の間隔よりも短くなっていることを特徴とするフォトマスク。
【請求項８】
近接露光時における対向する前記転写パターン及び前記パターン形成面の間の距離のうち最も短い距離であるプロキシミティギャップが、５０μｍ〜２００μｍの範囲である場合において、前記突起部の全長が１０μｍ〜３０μｍの範囲であることを特徴とする請求項７に記載のフォトマスク。
【請求項９】
前記転写パターンが遮光部及び透光部を有し、前記突起部が、前記遮光部上に複数設けられていることを特徴とする請求項７又は請求項８に記載のフォトマスク。
【発明の詳細な説明】
【技術分野】
【０００１】
本発明は、フラットパネルディスプレイ（ＦＰＤ）に用いられる被加工体の製造方法、及びその製造に用いるフォトマスクに関する。
【背景技術】
【０００２】
現在、液晶表示装置（ＬＣＤ）、プラズマディスプレイ装置（ＰＤＰ）、有機ＥＬディスプレイ装置（ＯＬＥＤ）に代表されるフラットパネルディスプレイ（ＦＰＤ）が広く普及しているが、本発明は、そのような様々なタイプのフラットパネルディスプレイ（ＦＰＤ）の製造に適用される。
【０００３】
フラットパネルディスプレイ（ＦＰＤ）の代表例の１つとして液晶表示装置（ＬＣＤ）があるが、この液晶表示装置（ＬＣＤ）の主要部材の１つに、ＬＣＤ用カラーフィルタを挙げることができる。このＬＣＤ用カラーフィルタは、透明な基板上に格子状のブラックマトリクスを形成し、その格子間の隙間を埋めるように、Ｒ（赤）、Ｇ（緑）、Ｂ（青）のカラーフィルタ画素を形成することで製造される。さらに、多くの場合、カラーフィルタの開口を邪魔しない位置（例えば、ブラックマトリクスと重なる位置）に、カラーフィルタと、対向するＴＦＴ基板とのギャップを決定するためのスペーサを形成する。
【０００４】
ブラックマトリクスを形成する際には、ブラックマトリクス形成用の感光剤を基板の表面に塗布し、ブラックマトリクス用のフォトマスクを介しての露光及び現像の工程を行う。次いで、ブラックマトリクスを形成した基板上に、第１色目として例えばＲ（赤）色の感光性着色剤を塗布し、第１色目用のフォトマスクを介した露光及び現像の工程を行うことで、Ｒ（赤）のカラーフィルタ画素を形成する。次いで、第２色目（例えばＧ（緑）色）および第３色目（例えばＢ（青）色）についても、第１色目と同様の工程を行うことで、Ｇ（緑）、Ｂ（青）のカラーフィルタ画素を形成する。次いで、透明な感光性樹脂を塗布し、スペーサ用のフォトマスクを介した露光及び現像の工程を行うことで、スペーサを形成する。
【０００５】
上記のＬＣＤ用カラーフィルタ製造の露光工程では、大面積基板への露光が可能であることや、装置コストが比較的安価であること等の理由により、一般的に近接露光装置が使用されている。ここで、近接露光装置の一例を図１に示す。近接露光装置４０は、基板等の被加工体ＷＫを基板ステージ７０上に保持するとともに、該被加工体ＷＫをマスクステージ６０のマスク保持枠の下面に保持されているフォトマスクＭに接近させて、フォトマスクＭと被加工体ＷＫとの間の間隔（ギャップ）Ｇを調整する。ここで、フォトマスクＭは、ブラックマトリクス用フォトマスク、第１色目用フォトマスク、第２色目用フォトマスク、第３色目用フォトマスク、スペーサ用フォトマスクである。近接露光装置４０は、フォトマスクＭと被加工体ＷＫとの間の間隔（ギャップ）Ｇを調整した後、照射装置５０によって、フォトマスクＭの裏面（被転写パターンが無い面）側から露光光をフォトマスクＭに向けて照射する。こうすることで、ブラックマトリクス用のフォトマスクＭのパターンが被加工体ＷＫに転写され、引き続いて、第１色目、第２色目及び第３色目のフォトマスク、及びスペーサ用フォトマスクのパターンが被加工体ＷＫに転写される。
【０００６】
ところで、近年、ＬＣＤの高画質化に伴い、ＬＣＤカラーフィルタのパターンの高精細化が進んでいる。近接露光では、フォトマスクＭと被加工体ＷＫとの間が離れるほど、マスクが形成する像は干渉などの影響で変化してしまうため、より精緻にパターン転写を行うためには、フォトマスクＭと被加工体ＷＫとの間の間隔（ギャップ）Ｇを狭くする必要が生じ、近接露光によるパターン形成の際は、フォトマスクＭと被加工体ＷＫとが非常に近接した状態となる。かかる状態においては、近接露光装置４０に種々の異常、例えば被加工体ＷＫとワークステージ７０の間に異物が挟まることで、フォトマスクＭと被加工体ＷＫとの間の間隔（ギャップ）Ｇが想定よりも狭くなる場合、又はワークステージ７０が誤動作するといった不具合が生じた場合に、マスクステージ６０に保持されたフォトマスクＭに被加工体ＷＫが衝突することがあった。このような被加工体ＷＫがフォトマスクＭへ接触又は衝突すると、転写パターンが損傷し、フォトマスクとしての機能が損なわれることが懸念される。
【０００７】
また、上記のような不具合が生じない場合であっても、フォトマスクＭの自重による撓み、フォトマスクＭの歪み、被加工体ＷＫの歪み、マスクステージ６０の歪み、ワークステージ７０の歪み、ステージ可動時における動的な歪（バックラッシュ等）等により、フォトマスクＭと被加工体ＷＫとの間の間隔（ギャップ）Ｇは場所により不均一になっており、間隔（ギャップ）Ｇを狭めると、フォトマスクＭと被加工体ＷＫとが接触又は衝突する可能性も生じてくる。
【０００８】
そこで、特許文献１に開示されるように、フォトマスクの自重による撓み等でフォトマスクと基板との間の間隔が不均一になることを防止するため、遮光パターン上に形成した柱状突起により、パターン露光時にフォトマスクの撓みを防止し、フォトマスクと基板上の感光性樹脂層との間隔を柱状突起の高さに一致させることで、両者の間隔を均一に保つものが知られている。かかる柱状突起をフォトマスクと基板の間に介在させることで、フォトマスクの転写パターンへの基板の衝突を一応防止できると考えられる。
【先行技術文献】
【特許文献】
【０００９】
【特許文献１】特開２００９−１０９８４３号
【発明の概要】
【発明が解決しようとする課題】
【００１０】
しかし、特許文献１では、パターン露光時に柱状突起が感光性樹脂層に接触することで、フォトマスクと基板上の感光性樹脂層との間隔を均一に保つものであるため、柱状突起に付着した感光性樹脂層が、次のパターン露光時に汚れとなることが懸念される。従って、特許文献１のフォトマスクをパターン露光に繰返し使用する場合、パターン露光を行う毎に基板を洗浄する必要が生じ、生産効率が低下するという問題があった。
【００１１】
本発明は、上記の問題を解消するためになされたものであり、近接露光による被加工体へのパターン形成を行う際に、フォトマスクと被加工体との間の間隔を狭めた場合であっても、生産性を損なうことなく、フォトマスクが被加工体に接触または衝突することを確実に防止し、フォトマスクの転写パターンを保護することを目的とする。
【課題を解決するための手段】
【００１２】
上記課題を解決するための本発明の被加工体の製造方法の１つの実施態様は、転写パターンを有するフォトマスクと、パターン形成面を有する被加工体とを、前記転写パターン及び前記パターン形成面が対向するように近接配置し、前記フォトマスクを用いて近接露光を行い、フォトリソグラフィー法により前記パターン形成面にパターンを形成するパターン形成工程を含む被加工体の製造方法であって、前記フォトマスクの前記転写パターンを含む領域に突起部が凸設され、該突起部の露光光の光軸方向の全長が、対向する該突起部の設置面及び前記パターン形成面の間隔よりも短く、前記パターン形成工程の際、前記突起部の先端と前記パターン形成面との間に間隙が介在することを特徴とする。
【００１３】
ここで、突起部が設けられる転写パターンを含む領域には、転写パターンの遮光部、半透光部、透光部が含まれ、さらに、転写パターン以外のフォトマスクの周辺部等が含まれる。被加工体の露光に影響しない遮光部や周辺部等に突起部を設ける場合には、有色の材料で突起部を形成できるが、半透光部、透光部に突起部を設ける場合には、透明または半透明の材料で突起部を形成し、フォトマスクの形成する転写像に実質的に影響しないようにすることが好ましい。
突起部を設ける領域によって、対向する突起部の設置面及びパターン形成面の間隔が異なる場合（例えば、遮光部と透光部）もあるので、設置場所に応じて突起部の長さが異なる場合もあり得る。
【００１４】
上記のように、フォトマスクの自重による撓み、フォトマスクの歪み、基板（被加工体）の歪み、マスクステージの歪み、ワークステージの歪み、ステージ可動時における動的な歪（バックラッシュ等）等により、フォトマスクと基板との間の間隔は場所により不均一になっており、パターンの高精細化に伴ってフォトマスクと基板との間隔を狭めた場合、フォトマスクと基板とが接触または衝突する可能性がある。また、近接露光装置にフォトマスクや被加工体をセットするときに不具合が生じる場合や、近接露光装置に異常が発生した場合には、フォトマスクと基板とが接触または衝突する可能性がある。
【００１５】
本実施態様によれば、転写パターンを含む領域に凸設された突起部を有するフォトマスクをパターン形成工程に用いることにより、フォトマスクと被加工体との間の間隔を狭めた場合でも、被加工体がフォトマスクの転写パターンに接触することや衝突することが防止され、転写パターンの損傷を確実に防止することができる。
さらに、本実施態様によれば、通常のパターン形成工程の際、突起部の先端とパターン形成面との間に間隙が介在するので、突起部が、パターン形成面との接触により汚染されることがない。従って、パターン形成工程終了後、次の被加工体のパターン形成を行う場合に、突起部を洗浄する必要が生じないため、生産効率を低下させることがない。
【００１６】
本発明の被加工体の製造方法のその他の実施態様は、さらに、前記被加工体の前記パターン形成面に感光性樹脂層が設けられていることを特徴とする。
【００１７】
本実施態様によれば、パターン形成工程の際、突起部が感光性樹脂により汚染されることがないので、突起部を洗浄する必要がなく、生産効率を低下させることがない。
【００１８】
本発明の被加工体の製造方法のその他の実施態様は、さらに、前記感光性樹脂層は、黒色感光性樹脂層を含み、前記パターン形成工程後にブラックマトリクスを構成することを特徴とする。
【００１９】
本実施態様によれば、ブラックマトリクスを効率良く生産することができる。
【００２０】
本発明の被加工体の製造方法のその他の実施態様は、さらに、前記感光性樹脂層は、前記ブラックマトリクスの隙間を埋めるように設けられた着色顔料を含む有色感光性樹脂層を含み、前記パターン形成工程後にカラーフィルタを構成することを特徴とする。
【００２１】
本実施態様によれば、カラーフィルタを効率良く生産することができる。
【００２２】
本発明の被加工体の製造方法のその他の実施態様は、さらに、前記感光性樹脂層は、前記ブラックマトリクス上に設けられた透明な感光性樹脂層を含み、前記パターン形成工程後に、表示装置のセルギャップを決定するスペーサを構成することを特徴とする。
【００２３】
本実施態様に示された表示装置は、ブラックマトリックス及びカラーフィルタを有し、隔壁によりセルが区分される表示装置で有れば任意の表示装置が含まれる。本実施態様によれば、表示装置のセルギャップを決定するスペーサを、効率良く生産することができる。
【００２４】
本発明の被加工体の製造方法のその他の実施態様は、さらに、近接露光時における対向する前記転写パターン及び前記パターン形成面の間の距離のうち最も短い距離であるプロキシミティギャップが、５０μｍ〜２００μｍの範囲である場合において、前記突起部の全長が１０μｍ〜３０μｍの範囲であることを特徴とする。
【００２５】
本実施態様によれば、突起部の先端と被加工体のパターン形成面との間に確実に間隙を形成することができるため、通常のパターン形成工程の際、突起部の汚染を確実に防止することができる。
【００２６】
本発明のフォトマスクの１つの実施態様は、被加工体のパターン形成面に対向する転写パターンを有する近接露光用のフォトマスクであって、前記転写パターンを含む領域に突起部が凸設され、該突起部の露光光の光軸方向の全長が、近接露光時に対向する該突起部の設置面及び前記パターン形成面の間隔よりも短くなっていることを特徴とする。
【００２７】
本実施態様によれば、転写パターンを含む領域に凸設された突起部を有するフォトマスクをパターン形成工程に用いることにより、フォトマスクと被加工体との間の間隔を狭めた場合でも、フォトマスクの転写パターンに被加工体が接触することや衝突することが防止され、転写パターンの損傷を確実に防止することができる。
さらに、本実施態様によれば、通常のパターン形成工程の際、突起部の先端とパターン形成面との間に間隙が介在するので、突起部が、パターン形成面との接触により汚染されることがない。従って、パターン形成工程終了後、次の被加工体のパターン形成を行う場合に、突起部を洗浄する必要が生じないため、生産効率を低下させることがない。
【００２８】
本発明のフォトマスクのその他の実施態様は、さらに、近接露光時における対向する前記転写パターン及び前記パターン形成面の間の距離のうち最も短い距離であるプロキシミティギャップが、５０μｍ〜２００μｍの範囲である場合において、前記突起部の全長が１０μｍ〜３０μｍの範囲であることを特徴とする。
【００２９】
本実施態様によれば、突起部の先端と被加工体のパターン形成面との間に確実に間隙を形成することができるため、通常のパターン形成工程の際、突起部の汚染を確実に防止することができる。
【００３０】
本発明のフォトマスクのその他の実施態様は、さらに、前記転写パターンが遮光部及び透光部を有し、前記突起部が、前記遮光部上に複数設けられていることを特徴とする。
【００３１】
本実施態様によれば、突起部が遮光部上に複数設けられているので、露光に影響を与えることがなく、フォトマスクの転写パターンの損傷を確実に防止することができる。
【発明の効果】
【００３２】
本発明の被加工体の製造方法及び該製造方法に用いるフォトマスクにおいては、近接露光による被加工体へのパターン形成を行う際に、フォトマスクと被加工体との間隔を狭めた場合であっても、生産性を損なうことなく、フォトマスクが被加工体に接触または衝突することを確実に防止し、フォトマスクの転写パターンを保護することができる。
【図面の簡単な説明】
【００３３】
【図１】近接露光装置の一例の概略構成を示す模式図である。
【図２】本発明のフォトマスクを用いて、基板上にブラックマトリクスを形成する製造工程の１つの実施形態を示す模式図である。
【図３】図２に示す製造工程に引き続いて、本発明のフォトマスクを用いて、カラーフィルタを製造する製造工程の１つの実施形態を示す模式図である。
【図４】本発明のフォトマスクの１つの実施形態を示す模式図である。
【図５】本発明のフォトマスクの１つの実施形態を製造する製造工程を示す模式図である。
【図６】本発明のフォトマスクのその他の実施形態、及び該実施形態を製造する製造工程を示す模式図である。
【発明を実施するための形態】
【００３４】
以下に図面を用いて、本発明の被加工体の製造方法及び該製造方法に用いるフォトマスクについて、詳細な説明を行う。
図１は、近接露光装置の概略構成を示す模式図である。図１に示す露光装置４０は、波長３６５ｎｍ（ｉ線）〜波長４３６ｎｍ（ｇ線）の紫外線を含む光を放射する超高圧水銀ランプ等の放電ランプと、集光鏡と、ミラーと、各種レンズ等から構成された光源ユニット５０を備えている。そして、放電ランプが放射する紫外光を含む光は、上記の集光鏡、ミラー及び各種レンズ等の光学部材を介して、光源ユニット５０から出射される。露光装置４０は、さらに、フォトマスクＭが載置・固定されるマスクステージ６０、カラーフィルタ基板等の被加工体ＷＫが固定されるワークステージ７０、マスクとワークの間のギャップを調整するギャップ調整機構８０、及びワークを位置調整するＸＹＺθステージ９０を備えている。ワークステージ７０上の被加工体ＷＫは、ワークチャック等で真空吸引されて保持されている。
【００３５】
図１においては、模式的に表わされているが、詳細には（図示せず）、マスクステージは、略長方形状の枠体からなるマスクフレームを有し、このマスクフレームの中央開口に、隙間を介してマスク保持枠が挿入されている。マスク保持枠の中央部開口の下面には、内方に張り出すフランジが開口の全周に沿って設けられており、このフランジの下面に、露光用の転写パターンが形成されたフォトマスクがワークチャック等で真空吸引されて保持されている。
以下の説明においては、被加工体として、ＬＣＤ用カラーフィルタを例にとって説明を行う。ただし、本発明は、ＬＣＤ用カラーフィルタの製造に限られず、その他の任意のフラットパネルディスプレイ（ＦＰＤ）の製造に適用可能である。
【００３６】
＜カラーフィルタの製造方法の説明＞
上記構成の近接露光装置４０を用いてＬＣＤ用カラーフィルタを製造する場合を例にとって、本発明の被加工体の製造方法の１つの実施形態を、図２及び図３を用いて説明する。ここで、図２は、本発明のフォトマスクを用いて、基板上にブラックマトリクスを形成する製造工程の１つの実施形態を示し、図３は、図２に示す製造工程に引き続いて、本発明のフォトマスクを用いて、カラーフィルタを製造する製造工程の１つの実施形態を示す。
図４には、この製造方法に用いる本発明のフォトマスクの１つの実施形態を示す。本実施形態では、フォトマスク１０は、遮光部１４及び透光部１５を有する転写パターンが設けられており、さらに、転写パターンを含む領域（図４では遮光部１４）に突起部１６が凸設されている。
【００３７】
図２（ａ）に示すように、ガラス基板等からなる透光性基板上に、感光性樹脂にカーボンブラック等の遮光材を分散した黒色感光性樹脂溶液をスピンナー等で塗布し、予備乾燥して黒色感光性樹脂層を形成する。黒色感光性樹脂層は、例えばネガ型の感光性樹脂である。次に、図２（ｂ）に示すように、該黒色感光性樹脂層に対して、本発明のフォトマスク１０を用いて近接露光を行う。最後に、現像を行い、露光されていない領域の黒色感光性樹脂層を溶解し、露光された領域の感光性樹脂層を残存させる。上記一連のパターン形成工程を行うことで、黒色感光性樹脂層にパターンを形成し、ブラックマトリクスを形成する。
【００３８】
次に、図３（ａ）に示すように、図２で製造されたブラックマトリクス上に、第１色目としてＲ（赤）色の感光性樹脂溶液を塗布し、赤色感光性樹脂層を形成する。赤色感光性樹脂層は、例えばネガ型の感光性樹脂に赤色の顔料が分散されたものを用いることができる。次に、図３（ｂ）に示すように、本発明のフォトマスク１０’を介して、赤色感光性樹脂層に近接露光を行う。その後、図３（ｃ）に示すように、赤色感光性樹脂層を現像し、露光されていない領域の赤色感光性樹脂層を溶解し、露光された領域の赤色感光性樹脂層を残存させ、Ｒ（赤）色のカラーフィルタ画素を形成する。
【００３９】
以下、上記と同様の工程を行い、図３（ｄ）、（ｅ）に示すように第２色目としてＧ（緑）色のカラーフィルタ画素、第３色目としてＢ（青）色のカラーフィルタ画素をそれぞれ形成する。上記一連のパターン形成工程を行うことで、Ｒ（赤）色、Ｇ（緑）色、Ｂ（青）色の３画素のフィルタと、各画素間に介在するブラックマトリクスとを形成する。さらに、図３（ｆ）に示すように、ブラックマトリクス上に、透明感光性樹脂層を部分的に形成し、透明感光性樹脂層を露光して硬化させることで残存させ、スペーサを形成する。これにより、カラーフィルタ基板を製造することができる。
【００４０】
本実施形態によれば、図４に示すように、転写パターンを含む領域（例えば、遮光部）に凸設された突起部を有するフォトマスクをパターン形成工程に用いることにより、基板がフォトマスク１０の転写パターンに接触又は衝突することが防止され、転写パターンの損傷を確実に防止することができる。
さらに、図２（ｂ）または図３（ｂ）に示すように、突起部１６の露光光の光軸方向の全長Ａが、対向するフォトマスク側の突起部の設置面１４ａ及びパターン形成面１７の間隔Ｂよりも短くなっているので、突起部１６の先端と基板のパターン形成面１７（感光性樹脂層の表面）との間に間隙Ｃが介在する。よって、通常のパターン形成工程では、突起部１６がパターン形成面との接触により、感光性樹脂で汚染されることがない。従って、パターン形成工程終了後、次の被加工体のパターン形成を行う場合に、突起部１６を洗浄する必要が生じないため、生産効率を低下させることがない。
なお、本発明のフォトマスクに関するさらに詳細な説明は、図４を用いて後述する。
【００４１】
以下、上記の本発明のカラーフィルタの製造方法に係わる、カラーフィルタ基板、感光性樹脂、フォトマスクについて、順次詳細に説明する。
＜カラーフィルタ基板の説明＞
ブラックマトリクス及びカラーフィルタの各色画素を形成する透光性基板は、可視光に対して８０％以上の透過率を有するものが好ましく、石英ガラス、ホウケイ酸ガラス、ソーダガラス等の市販されている無機ガラスや、ＰＥＴ、ＰＥＳ，ＰＣ等のプラスチック基板や、これらガラスやブラスチック基板上に、酸化シリコンや酸化アルミニウム、窒化シリコン、酸窒化シリコン等の無機薄膜を表面に成膜したもの等を、用途に応じて適宜使用することができる。カラーフィルタ基板のサイズは、３００ｍｍ×３５０ｍｍ〜２８８０ｍｍ×３１３０ｍｍを例示することができるが、これに限られるものではない。下記に、カラーフィルタ基板のサイズの一覧表の一例を示す。
【００４２】
【表１】
2014174269.tif 000003
【００４３】
＜黒色感光性樹脂の説明＞
黒色感光性樹脂は、水酸基、カルボキシル基、アミノ基等の反応性の置換基を有する線状高分子に、イソシアネート基、アルデヒド基、エポキシ基等の反応性置換基を有するメタアクリル化合物やケイヒ酸を反応させて、メタアクリロイル基、スチリル基等の光架橋性基を該線状高分子に導入した樹脂が用いられる。また、スチレンー無水マレイン酸共重合物やα−オレフィンー無水マレイン酸共重合物等の酸無水物を含む線状高分子を、ヒドロキシアルキルメタアクリレート等の水酸基を有するメタアクリル化合物により、ハーフエステル化したものを用いることができる。用いることのできる重合性モノマー及びオリゴマーとしては、既知のものを用いることができる。また、光重合開始剤、増感剤、有機溶剤等を必要に応じて添加することもできる。
【００４４】
＜遮光材の説明＞
上記黒色感光性樹脂に分散させる遮光材としては、カーボンブラックのほか、酸化チタン、酸窒化チタン、四酸化鉄等の金属酸化物や顔料、その他既知の遮光材料を用いることができる。
【００４５】
＜黒色性樹脂層の形成方法の説明＞
黒色感光性樹脂層の形成方法としては、スピンコート法やスリットコート法、バーコート法等の塗布法や、インクジェット法、印刷法を用いることができる。
【００４６】
＜Ｒ（赤）色、Ｇ（緑）色、Ｂ（青）色  感光性樹脂層＞
赤色感光性樹脂層は、感光性樹脂に赤色顔料を分散した赤色感光性樹脂溶液を、スピンナー等にて、格子状のブラックマトリクスの隙間を埋めるように透光性基板上に塗布し、予備乾燥して形成される。赤色顔料としては既知の有機顔料、無機顔料を組合せて用いることができる。有機顔料としては、Ｃ．Ｉ．Ｐｉｇｍｅｎｔ  Ｒｅｄ  ７，９，１４，１６８，１７７等を用いることができる。無機顔料としては、黄色鉛、亜鉛黄、べんがら、カドミウム赤等の金属酸化物粉、金属硫化物粉、金属粉等が挙げられる。
【００４７】
緑色感光性樹脂層及び青色感光性樹脂層も、赤色感光性樹脂層と同様にして形成される。緑色感光性樹脂層は、感光性樹脂に、緑色顔料を分散した緑色感光性樹脂溶液を、スピンナー等にてブラックマトリクスが形成された透光性基板上に塗布して形成される。緑色顔料としては、Ｃ．Ｉ．Ｐｉｇｍｅｎｔ  Ｇｒｅｅｎ  ７，１０，３６，３７等を用いることができる。
【００４８】
青色感光性樹脂層は、感光性樹脂に、青色顔料を分散した青色感光性樹脂溶液を、スピンナー等にてブラックマトリクスが形成された透光性基板上に塗布して形成される。青色顔料としては、Ｃ．Ｉ．Ｐｉｇｍｅｎｔ  Ｂｌｕｅ  １５：３，１５：４，１５：６，６０等を用いることができる。
【００４９】
＜ブラックマトリクスの説明＞
ブラックマトリクスは、例えば、精細な複数のブラックラインが格子状に配列して形成されており、ブラックラインの各々の線幅が２μｍ〜３０μｍの範囲内である。ブラックマトリクスの形状は、格子状に限らず、ストライプ状でも良い。本発明では、形状が格子状のもの、ストライプ状のものの双方を含め、ブラックマトリクスという。
【００５０】
＜本発明のフォトマスクの１つの実施形態の説明＞
次に、本発明のフォトマスクの１つの実施形態について、図４を用いてさらに詳細に説明する。
図４に示す実施形態（フォトマスク）１０は、ガラス基板等からなる透明なマスク基板１１の一面上に、遮光部１４と透光部（開口）１５とからなるラインアンドスペースの転写パターンが形成され、該転写パターンを含む領域に複数の突起部１６が凸設されている。突起部１６は、主として遮光部１４上に複数形成されている。転写パターンは、遮光部（ライン）の幅が２〜３０μｍ、スペースの幅が１０〜２５０μｍとされ、精細なブラックマトリクスを形成するために精細化されている。
【００５１】
フォトマスクのマスク基板としては、例えば、合成石英、ソーダライムガラス、無アルカリガラス等の、露光光に対して透明な基板を用いることができる。本発明のパターン形成工程に使用する露光光は、波長３６５ｎｍ（ｉ線）〜波長４３６ｎｍ（ｇ線）の範囲に亘りブロードなスペクトルを持つ連続光である。マスク基板のサイズは、短辺が３００ｍｍ以上のもので、例えば３３０ｍｍ×４５０ｍｍ〜１６２０ｍｍ×１７８０ｍｍである。
【００５２】
フォトマスクの転写パターンは、マスク基板上に密着して形成された遮光膜をパターニングすることで得られ、マスク基板上に残存する遮光膜からなる遮光部と、遮光膜が除去されて形成された開口からなる透光部とで形成される。遮光膜は、例えばクロム（Ｃｒ）系の材料により、基板上に形成される。遮光膜は、例えば、ＣｒＮ膜、ＣｒＣ膜、ＣｒＣＯ膜、ＣｒＯ膜、ＣｒＯＮ膜、又はこれらの積層膜である。
【００５３】
フォトマスクの転写パターンを含む領域に凸設される突起部の寸法に関し、一例を挙げると、近接露光時における対向するフォトマスク（さらに詳細には転写パターン）と基板（さらに詳細にはパターン形成面）との間の距離のうち最も短い距離であるプロキシミティギャップが、５０μｍ〜２００μｍの範囲内である場合、突起部の露光光の光軸方向の全長は、１０μｍ〜３０μｍの範囲内である。この場合、突起部の先端と感光性樹脂層との間の間隙は、２０μｍ〜１７０μｍとなる。
突起部の全長を上記の範囲内にすることで、パターン形成工程の際、カラーフィルタ基板とフォトマスクの接触を確実に防止することができる。
なお、プロキシミティギャップは、図２（ｂ）、図３（ｂ）に示す場合であれば、遮光部１４の下面１４ａと基板の感光性樹脂層が設けられた面１７（パターン形成面）との間の距離Ｂに相当する。
【００５４】
上記のように、フォトマスクの自重による撓み、フォトマスクの歪み、基板の歪み、マスクステージの歪み、ワークステージの歪み、ステージ可動時における動的な歪（バックラッシュ等）等により、フォトマスクと基板との間の間隔は場所により不均一になっているが、上記の数値範囲の長さを有する突起部を設けることで、フォトマスクと基板とが接触または衝突することを確実に回避するとともに、通常のパターン形成工程において、突起部が感光性樹脂で汚染されることを確実に防ぐことができる。
【００５５】
なお、突起部は、マスク基板の一面上において、転写パターンの遮光部上のみに設けられていても良いし（図４参照）、突起部が透光性を有するのであれば、転写パターンの透光部に設けられていても良い。なお、パターン精度への影響を考慮すると、突起部を遮光部上に設けることが好ましい。さらに、突起部は、転写パターンの遮光部上や透光部上だけでなく、転写パターン以外の領域（例えば周囲領域）に設けられていても良い。
この場合、対向するフォトマスク側の突起部の設置面とパターン形成面との間隔が異なることもあり得るが、そのときには、間隔に応じて突起部の長さが異なる場合もあり得る。
【００５６】
突起部の個数は、少なくとも３個の突起部を有していれば、通常は方形状であるカラーフィルタ基板が転写パターンに過度に接近することを阻止することができる。ただし、確実に過度の接近を阻止することを考慮すると、５個（パネルの４隅＋中央に１個）以上であることが好ましい。
突起部の面内配置密度は、下記計算に基づき、０．０５個／ｃｍ２〜３００個／ｃｍ２であることが好ましい。かかる面内配置密度を有することで、フォトマスクに加えられる荷重を各々の突起部に分散することができるため、突起部の変形を防止することができる。
【００５７】
好ましい面内配置密度について最小個数を考えると、モバイル機器用の小型の液晶パネルとして５インチを想定して、パネルの４隅＋中央に１個ずつ（パネルあたり５個）配置するとして、５．０インチパネルの場合：１ｃｍ２当たり０．０７個となる。よって、１ｃｍ２当たり０．０５個程度が、最小個数と考えられる。
一方、最大個数を考えると、同様に５インチのパネルでＦＨＤの解像度が、現在実用化しているパネルにおいて最小となり、画素ピッチは４４０ｐｐｉとなる。このパネルにおいて１０画素毎に突起部を配置するとして個数を計算すると、１ｃｍ２当たり３００個となる。以上により、０．０５個／ｃｍ２〜３００個／ｃｍ２が適切な範囲であると考えられる。
【００５８】
突起部の材質は、（メタ）アクリル系樹脂を主成分とする樹脂組成物が好ましい。突起形成を露光により行う場合は、感光性を付与するための光開始剤等を含有することが好ましい。また、光反応を補助するための増感剤や、マスク表面との密着性を改善するための密着助剤等の添加剤を含んでもよい。また、熱硬化性の材料をレーザースポット照射等で硬化させて突起を形成する場合は、熱開始剤等を含有することが好ましく、上記同様添加剤を含んでもよい。
【００５９】
＜本発明のフォトマスクの１つの実施形態の製造方法の説明＞
次に、図４に示す本発明のフォトマスクの実施形態を製造する方法について、図５を用いて説明する。
図５（ａ）に示すように、マスク基板１１上に遮光膜１２を成膜する。成膜にあたっては、蒸着法、スパッタ法等の既知の成膜法を使用することができる。
【００６０】
次に、図５（ｂ）に示すように、遮光膜１２上に、感光性樹脂を塗布して感光性樹脂層１３を形成した後、レーザ描画装置を用いて所定のパターン描画を行い、さらに現像処理を行うことにより、透光部に対応する感光性樹脂層が除去され、感光性樹脂層１３にパターンが形成される。
次いで、図５（ｃ）に示すように、図５（ｂ）で得た感光性樹脂層１３のパターンをマスクにして、遮光膜１２をウェットエッチング等により除去し、感光性樹脂層１３のパターンを剥離する。これにより、図５（ｄ）に示すように、マスク基板１１上に遮光部１４及び透光部（開口）１５を含む転写パターンが形成される。
【００６１】
最後に、図５（ｅ）に示すように、遮光部１４上に感光性樹脂層を形成し、フォトマスク（図示せず）により、感光性樹脂層の突起部の各々を形成すべき箇所に対して局所的に露光を行い、突起部１６の各々を形成する。遮光部１４上に形成する感光性樹脂層は、例えばネガ型の感光性樹脂であり、露光部分のみが硬化する。局所的な露光は、例えば照射スポット径の小さいパルスレーザー、ＣＷレーザ等を用いて行ってもよいし、別途フォトマスクを作成して露光を行ってもよい。かかる露光後に、感光性樹脂層を現像することにより、複数の突起部１６の各々が遮光部１４上に形成される。
尚、図５（ｅ）の工程は、例えばインクジェット法を用い、突起部を形成すべき箇所の周辺のみに感光性樹脂層を形成し、該感光性樹脂層を上記レーザ等で硬化させ、突起部を形成することもできる。
【００６２】
＜本発明のフォトマスクのその他の実施形態の説明＞
以下、本発明のフォトマスクのその他の実施形態について、図６（ｉ）を用いて説明する。本実施形態では、露光光を遮光する遮光部、露光光を一部透過させる半透光部及び露光光を全部透過させる透光部を備える３階調のフォトマスクである。このフォトマスクは、例えば、上記図３（ｆ）に示す、ブラックマトリクス上に形成されたスペーサの高さを調整する際に有用である。
【００６３】
図６（ａ）〜（ｇ）に示すように、本実施形態（フォトマスク）は、透明基板２１上に形成された遮光膜２２及び半透光膜２４を各々パターニングすることにより、図６（ｈ）に示すように、透明基板２１が露出した透光部と、透明基板２１上に半透光膜２４ａのみが残存する半透光部と、透明基板２１上に少なくとも遮光膜２２ａが残存した遮光部とからなる転写パターンが形成される。
さらに、本実施形態では、図６（ｉ）に示すように、半透光膜２４ａが形成された面上に、突起部２６が凸設されている。
【００６４】
本実施形態では、図３（ｆ）に示すように、カラーフィルタにスペーサを形成する際、ブラックマトリクス上に形成された透明感光性樹脂層に対して、半透光部及び透光部の各々を介して露光光を照射する。こうすることで、透明感光性樹脂層において、半透光部により露光された領域と透光部により露光された領域とで露光量が異なるため、形成されるスペーサの高さ（露光光の光軸方向の全長）を変化させることができる。即ち、半透光部からの露光により形成されるスペーサの高さが相対的に低く、透光部からの露光により形成されるスペーサの高さが相対的に高い、というように、各々のスペーサの高さを調整することができる。従って、本実施形態のフォトマスクを使用することにより、例えば液晶表示装置製造事業者から要求される、カラーフィルタ基板とＴＦＴ基板との間の種々のギャップ仕様に対応することが可能な、カラーフィルタ基板を形成することができる。
【００６５】
本実施形態のフォトマスクは、図４に示す実施形態と同様、転写パターンを含む領域に、複数の突起部の各々が凸設され、突起部の光軸方向の全長が、露光時に対向する突起部の設置面及び基板のパターン形成面の間隔よりも短くなっている。突起部の各々は、主に遮光部上に形成されるが、突起部が透光性を有するのであれば、半透光部又は透光部に突起部を形成することもできる。
【００６６】
本実施形態における半透光膜は、金属と珪素を含む金属シリサイドを原料とするものであり、例えば、モリブデンシリサイド（ＭｏＳｉ）、タンタルシリサイド（ＴａＳｉ）、チタンシリサイド（ＴｉＳｉ）、タングステンシリサイド（ＷＳｉ）や、これらの酸化物、窒化物、酸窒化物等の膜である。本実施形態において、半透光膜は、遮光膜上に積層されたモリブデンシリサイドの膜であり、半透光膜は、ＭｏＳｉ膜、ＭｏＳｉ２膜、ＭｏＳｉ４膜であることが好ましい。半透光膜は、ＭｏＳｉＯ膜、ＭｏＳｉＮ膜、ＭｏＳｉＯＮ膜等であっても良い。遮光膜は、例えば、金属シリサイドに対してエッチング選択性を有するクロム（Ｃｒ）系の材料により、基板上に形成される。遮光膜は、図４に示すフォトマスクと同様に、例えば、ＣｒＮ膜、ＣｒＣ膜、ＣｒＣＯ膜、ＣｒＯ膜、ＣｒＯＮ膜、又はこれらの積層膜である。マスク基板は、第１のフォトマスクと同様のものを用いることができる。
【００６７】
半透光膜の成膜方法については、上記の遮光膜の場合と同様、蒸着法、スパッタ法、ＣＶＤ（化学的気相成長）法等、膜種に適した方法を適宜選択すればよい。また、半透光膜の膜厚に関しては、特に制約はないが、所望の半透光性が得られるように最適化された膜厚で形成すればよい。半透光膜としては、薄膜で、例えば露光光のｉ線（３６５ｎｍ）に対し、透光部の透過率を１００％とした場合に、透過率２０〜６０％程度の半透光性が得られるものが挙げられるが、半透光膜の透過率はこれに限定される必要はない。半透光部の透過性をどの程度に設定するかは、マスクの使用目的に応じて適宜設計する。
【００６８】
＜本発明のフォトマスクのその他の実施形態の製造方法の説明＞
図６（ｉ）に示す本発明のフォトマスクのその他の実施形態を製造する方法について、図６を用いて説明する。
図６（ａ）に示すように、マスク基板２１上に遮光膜２２を形成したマスクブランク２０を用いる。このマスクブランク２０は、透明基板２１上に遮光膜２２を形成することで得られるが、その成膜方法は、蒸着法、スパッタ法、ＣＶＤ（化学的気相成長）法等、膜種に適した方法を適宜選択すればよい。このマスクブランク２０上の全面に、図６（ｂ）に示すように、例えばレーザ描画用のポジ型レジスト膜を形成し、所定のパターン描画、現像を行って、半透光部を形成する領域（図６のＢ領域）及び透光部を形成する領域（図６のＣ領域）を露出させ、遮光部を形成する領域（図６のＡ領域）にのみレジスト２３ａが残存するレジストパターン１を形成する。
【００６９】
次に、図６（ｃ）に示すように、図６（ｂ）のレジストパターン１をマスクとして、遮光膜をエッチングして、遮光部を形成する領域に対応する遮光膜パターン２２ａを形成する。半透光部及び透光部に対応する領域では、上記遮光膜のエッチングにより下地の透明基板２１が露出した状態となる。図６（ｄ）に示すように、残存するレジストパターンは、酸素によるアッシング或いは濃硫酸等を用いて除去する。
次に、図６（ｅ）に示すように、上記のようにして得られた透明基板２１上に遮光膜パターン２２ａを有する基板上の全面に半透光膜２４を成膜する。半透光膜の成膜方法については、上記の遮光膜の場合と同様、蒸着法、スパッタ法、ＣＶＤ（化学的気相成長）法等、膜種に適した方法を適宜選択すればよい。
【００７０】
次に、図６（ｆ）に示すように、再び全面にポジ型レジスト膜２３ｂを形成し、２回目の描画を行う。描画後、これを現像して、透光部（Ｃ領域）を露出させ、遮光部及び半透光部にはレジストが残存するレジストパターン２を形成する。次に、図６（ｇ）に示すように、形成されたレジストパターン２をマスクとして、透光部となるＣ領域の半透光膜２４をエッチングにより除去する。図６（ｈ）に示すように、残存するレジストパターン２は、酸素アッシング等を用いて除去する。以上のようにして本発明によるグレートーンマスク３０が出来上がる。
【００７１】
最後に、図６（ｉ）に示すように、図４に示すフォトマスクと同様に、遮光部上（実際には、半透光膜２４ａ上）に感光性樹脂層を形成し、フォトマスク（図示せず）により、感光性樹脂層の突起部の各々を形成すべき箇所に対して局所的に露光を行って、突起部２６の各々を形成する。遮光部上に形成する感光性樹脂層は、例えばネガ型の感光性樹脂であり、露光部分のみが硬化する。局所的な露光は、例えば照射スポット径の小さいパルスレーザー、ＣＷレーザ等を用いて行う。かかる露光後に、感光性樹脂層を現像することにより、複数の突起部の各々が遮光部上に形成される。尚、図６（ｉ）の工程は、例えばインクジェット法を用い、突起部を形成すべき箇所の周辺のみに感光性樹脂層を形成し、該感光性樹脂層を上記レーザ等で硬化させ、突起部を形成することもできる。
【００７２】
以上のように図６（ｉ）に示す実施形態（フォトマスク）は、フォトマスクの基板の一面上において、転写パターンを含む領域に、突起部２６が複数凸設されているため、プロキシミティギャップを狭めたとしても、パターン形成工程を行う際、カラーフィルタ基板がフォトマスクに接触又は衝突して転写パターンを損傷することを防止できる。さらに、感光性樹脂層に近接露光を行ってパターン形成を行う際は、通常のパターン形成工程において、突起部の各々の先端と感光性樹脂層との間に間隙が介在するため、突起部の先端が感光性樹脂層に接することはなく、突起部の汚染を防止することができる。
【００７３】
以上説明したように、本発明は、転写パターンを含む領域に複数の突起部が凸設することにより、形成するパターンの精細化に伴ってプロキシミティギャップを狭めたとしても、フォトマスクの転写パターンに被加工体の基板が接触又は衝突することから、転写パターンを保護することを目的とする。
さらに、本発明では、突起部の露光光の光軸方向の全長を、近接露光時のおける対向する突起部の設置面及びパターン形成面の間隔よりも短くすることにより、通常のパターン形成工程において、突起部の先端と被加工体との間に間隙を介在させ、突起部を汚染しない手段を採用した。本発明は、上記のような、転写パターンを保護し、且つ突起部の汚染を防止するという上記目的に反しない限り、上記で説明した被加工体以外の用途（例えば、プリント配線板の露光、ＭＥＭＳ用基板）にも適用することができる。
【符号の説明】
【００７４】
１０  フォトマスク
１１  マスク基板
１２  遮光膜
１３  電子線硬化樹脂層
１４  遮光部
１４ａ  遮光部の下面
１５  透光部
１６  突起部
１７  黒色感光性樹脂層の表面
２０  マスクブランク
２１  透明基板
２２、２２ａ  遮光膜
２３ａ、２３ｂ  レジスト膜
２４、２４ａ  半透光膜
２６  突起部
３０  グレートーンマスク
４０  露光装置
５０  光源
６０  マスクステージ
７０  ワークステージ
８０  ギャップ調整機構
９０  ＸＹＺθステージ
【図１】
2014174269.tif 000004
【図２】
2014174269.tif 000005
【図３】
2014174269.tif 000006
【図４】
2014174269.tif 000007
【図５】
2014174269.tif 000008
【図６】
2014174269.tif 000009